(57)【特許請求の範囲】
【請求項１】
収容空間と、前記収容空間内に収容されている少なくとも１つのシートを有し、前記シートは、折り返し線に沿って折り返す操作を複数回行うことによって、前記シートを構成する複数のシート部分が重ねられた状態で前記収容空間内に収容されているシート収容体であって、
前記シートは、第１の方向に沿って延びている一対の第１の片と、前記第１の方向と交差する第２の方向に沿って延びている一対の第２の片からなる四角形を有しており、
前記シートを２つ折りするための２つ折り用折り返し線は、前記第１の方向に沿って延びており、
前記シートは、前記複数のシート部分が重ねられた状態において、前記２つ折り用折り返し線の少なくとも一方の端部の周りの領域では、前記２つ折り用折り返し線の両側の２つのシート部分のみが重ねられており、
当該２つのシート部分のみが重ねられた領域は使用者が指で摘む摘み部を構成し、
前記シートは、さらに前記２つ折り用折り返し線により重ねられた２つのシート部分を折り返すための前記第１の方向に延びる第１方向延在折り返し線と、前記２つ折り用折り返し線および前記第１方向延在折り返し線とにより重ねられた前記シート部分を前記第２の方向に折り返すための第２方向延在折り返し線とを有し、
前記第２方向延在折り返し線は、前記第１の方向上における中心点に対して偏移して設けられることを特徴とするシート収容体。
【請求項２】
請求項１に記載のシート収容体であって、
前記２つ折り用折り返し線の少なくとも一方の端部の周りの領域は、当該少なくとも一方の端部からの距離が５ｍｍ以内である領域を含んでいることを特徴とするシート収容体。
【請求項３】
請求項１または２に記載のシート収容体であって、
前記収容空間は、接合されたフィルムによって形成されており、
前記接合されたフィルムの外周には、前記２つ折り用折り返し線の少なくとも一方の端部が配置されている箇所の近傍に切り込みが形成されていることを特徴とするシート収容体。
【請求項４】
請求項１〜３のいずれかに記載のシート収容体であって、
前記２つ折り用折り返し線は、前記第１の片の中央を通ることを特徴とするシート収容体。
【請求項５】
請求項１〜４のいずれかに記載のシート収容体であって、
前記シートに液体が含浸されていることを特徴とするシート収容体。
【発明の詳細な説明】
【技術分野】
【０００１】
本発明は、収容空間にウェットシート等のシート状物品を収容するシート収容体に関し、特に、シート状物品をシート収容体から取り出して使用する際の利便性を高めるための技術に関する。
【背景技術】
【０００２】
おむつを交換する際にお尻を拭くためあるいは皮膚等に付着した汚れを落とすために、ウェットシート等の種々のシート状物品が用いられている。ウェットシートは、例えば、不織布に水や薬剤等の液体が含浸されたものである。ウェットシートを使用する際には、２つ折り状態で使用されることが多い。そこで、従来、ウェットシートを、２つ折り状態で取り出すことができるシート収容体が提案されている（特許文献１）。この従来のシート収容体は、収容空間と、収容空間内に収容されている複数のウェットシートと、収容空間内に収容されているウェットシートを取り出すための開口部と、開口部を開閉する蓋部材を有している。ウェットシートは、１枚のシートを、複数回折り返し線に沿って折り返した状態で収容空間内に収容されている。また、各ウェットシートは、１枚のシートを２つ折りするための２つ折り用折り返し線の一部が開口部に露出するように収容空間内に収容されている。この従来のシート収容体では、開口部に露出している２つ折り用折り返し線の一部を摘んで引き出すことにより、ウェットシートを２つ折り状態で取り出すことができる。
【先行技術文献】
【特許文献】
【０００３】
【特許文献１】特開２０００−２７９３４３号公報
【発明の概要】
【発明が解決しようとする課題】
【０００４】
従来のシート収容体は、収容空間内に収容されているウェットシートを取り出すための開口部と、開口部を開閉する蓋部材が必要である。このため、従来のウェットシートを、収容空間内に１つのウェットシートを収容する、個包装のシート収容体として構成する場合には、高価になる。
一方、フィルムによって形成されている密閉収容空間内に従来のウェットシートを１つ収容することによって個包装のシート収容体を構成することが考えられる。このシート収容体では、フィルムを切断することによって、収容空間内に収容されているウェットシートを取り出す。しかしながら、従来のウェットシートは、シートを２つ折りするための２つ折り用折り返し線を含む領域では、２つ折り用折り返し線の両側のシート部分だけでなく他のシート部分も重ねられている。このため、ウェットシートを収容空間から取り出した後、両手を使って２つ折り状態にする必要があり、面倒である。
本発明は、このような問題点に鑑みて創案されたものであり、折り返し線に沿って折り返す操作を複数回行った状態で収容空間内に収容されているシートの利便性を高めることができる技術を提供することを課題とする。
【課題を解決するための手段】
【０００５】
本発明のシート収容体は、収容空間と、収容空間内に収容されている少なくとも１つのシートを有している。シートは、折り返し線に沿って折り返す操作を複数回行うことによって、シートを構成する複数のシート部分が重ねられた状態で収容区間内に収容されている。折り返し線としては、典型的には、直線状（略直線状を含む）の折り返し線が用いられる。
シートとしては、例えば、繊維材料により形成され、柔らかい種々のシートを用いることができる。典型的には、繊維材料をシート状に形成した基材（例えば、不織布、ガーゼ、コットンシート、ティッシュペーパー）に液体（例えば、アルコール、消毒液、化粧水）等を含浸させたウェットシートが用いられる。
【０００６】
本発明では、シートは、第１の方向に沿って平行に延びている一対の第１の辺と、第１の方向に交差する第２の方向に沿って平行に延びている一対の第２の辺からなる四角形を有している。四角形には、例えば、第１の片の長さが第２の片の長さより短い長方形、第１の片の長さと第２の片の長さが等しい正方形等が含まれる。なお、四角形は、略四角形であればよく、厳密に四角形でなくてもよい。長方形や正方形のシートでは、第２の方向は、第１の方向に直交（略直交を含む）する。そして、２つ折り用折り返し線は、第１の方向に沿って延びている。本発明では、シートを、第１の方向に延びる折り返し線および第２の方向に延びる折り返し線に沿って折り返すのが好ましい。
本発明では、四角形を有しているシートを折り返しているため、複数のシート部分が重ねられた状態における面積を小さくすることができる。
【０００７】
シートは、複数のシート部分が重ねられた状態において、２つ折り用折り返し線の少なくとも一方の端部の周りの領域では、２つ折り用折り返し線の両側の２つのシート部分のみが重ねられており、当該２つのシート部分のみが重ねられた領域は使用者が指で摘む摘み部を構成する。なお、摘み部として用いられる領域を除く領域におけるシート部分の重ね枚数は、シートを２つ折り用折り返し線に沿って折り返した時の面積（使用時の面積）と、折り返し線に沿って折り返す操作を複数回行った時の面積（収容空間内に収容時の面積）等を考慮して適宜設定される。例えば、８枚のシート部分や１２枚のシート部分が重ねられるように折り返される。
【０００８】
好適には、シート収容体としては、開口部を有していない密閉された収容空間を有するシート収容体が用いられる。収容空間内には、折り返された１つあるいは複数のシートを収容することができる。なお、開口部を有していない密閉された収容空間を有するシート収容体を用いる場合には、収容空間内に、折り返された１つのシートを収容するのが好ましい。
シートを使用する際には、２つ折り用折り返し線の少なくとも一方の端部（摘み部）を指で摘んで引き出すことにより、シートを収容空間から取り出す。そして、摘み部を指で摘んだ状態でシートを振る。これにより、収容空間から取り出したシートは、２つ折り状態となる。
本発明では、複数回折り返したシートを収容空間内に収容している。これにより、シート収容体を小型化することができる。また、摘み部（２つ折り用折り返し線の少なくとも一方の端部の周りの領域）を指で摘んで収容空間から引き出して振ることによって、収容空間から取り出したシートを２つ折り状態にすることができ。これにより、収容空間から取り出したシートの利便性を高めることができる。
【０００９】
本発明のシート収容体において、シートは、さらに２つ折り用折り返し線により重ねられた２つのシート部分を折り返すための第１の方向に延びる第１方向延在折り返し線と、２つ折り用折り返し線および第１方向延在折り返し線とにより重ねられたシート部分を第２の方向に折り返すための第２方向延在折り返し線とを有することができる。この場合、第２方向延在折り返し線は、第１の方向上における中心点に対して偏移して設けられる。
【００１０】
本発明の異なる形態では、２つ折り用折り返し線の少なくとも一方の端部の周りの領域（摘まみ部）は、当該少なくとも一方の端部からの距離が５ｍｍ以内である領域を含んでいる。少なくとも一方の端部からの距離が５ｍｍ以内である領域としては、例えば、少なくとも一方の端部を中心とする、半径５ｍｍの扇形領域や、少なくとも一方の端部を１つの頂点とする、１辺の長さが５ｍｍである四角形領域が設定される。
本形態では、少なくとも一方の端部からの距離が５ｍｍ以内の領域が摘み部に含まれているため、大部分の使用者は、摘み部を指で摘んで振る操作を容易に行うことができる。
【００１１】
本発明の他の異なる形態では、収容空間は、接合されたフィルムによって形成されている。典型的には、フィルムを重ねた状態で、収容空間を形成する部分の外周を接合することによって、密閉状態の収容空間が形成される。「フィルムを重ねる」態様には、別々のフィルムを重ねる態様や、１枚のフィルムを折り畳む態様が含まれる。フィルムとしては、好適には、加熱することによって融着可能な種々の熱融着フィルムが用いられる。勿論、接着剤等を用いて接合可能なフィルムを用いることもできる。なお、液体が含浸されているシートを収容空間内に収容する場合には、シートの湿潤状態を保持可能（乾燥を防止可能）なフィルムが用いられる。本形態の「密閉状態の収容空間」は、「蓋部材により開閉可能な開口部を有していない収容空間」を意味する。
そして、接合されたフィルムの外周には、収容空間を開口する操作を容易にするための切り込みが形成されている。切り込みを形成する位置は、切り込みの箇所でフィルムを切断して収容空間を開口した時に、使用者が、収容空間に収容されているシートの摘み部を指で容易に摘むことができる位置、すなわち、２つ折り用折り返し線の少なくとも一方の端部が配置されている箇所（摘み部が配置されている箇所）の近傍に設定される。
本形態では、接合されたフィルムによってシート収容体を構成しているため、開口部を形成する作業や、開口部を開閉する蓋部材を設ける作業が不要である。これにより、シート収容体を安価に製造することができる。また、密閉された収容空間を形成するフィルムに切り込みが形成されている。これにより、収容空間を容易に開口することができる。また、摘み部の近傍に切り込みが形成されている。これにより、切り込みの箇所でフィルムを切断するだけで、摘み部を指で容易に摘むことができる。
【００１２】
本発明のさらに他の異なる形態では、２つ折り用折り返し線は、第１の片の中央（略中央を含む）を通るのが好ましい。
【００１３】
本発明のさらに他の異なる形態では、収容空間内に収容されるシートに液体が含浸されている。
液体としては、例えば、アルコール、消毒液、化粧水等が用いられる。シートに液体を含浸させる方法としては、好適には、折り返す前に液体を含浸させる方法が用いられるが、折り返した後に液体を含浸させる方法を用いることもできる。
本形態では、複数回折り返されているとともに液体が含浸されている（ウェット状態の）シートを収容空間から取り出す操作および２つ折り状態にする操作を、両手を濡らすことなく、容易に行うことができる。
【発明の効果】
【００１４】
本発明のシート収容体では、複数回折り返された状態で収容空間内に収容されているシートを収容空間から取り出す操作および取り出したシートを２つ折り状態にする操作を容易に行うことができる。これにより、複数回折り返された状態で収容空間内に収容されているシートの利便性が向上する。
【図面の簡単な説明】
【００１５】
【図１】本発明のシート収容体の第１の実施の形態の正面図である。
【図２】第１の実施の形態のシート収容体の収容空間に収容するウェットシートを形成する方法を説明する図である。
【図３】第１の実施の形態のシート収容体の収容空間に収容するウェットシートを形成する方法を説明する図である。
【図４】第１の実施の形態のシート収容体の収容空間に収容するウェットシートを形成する方法を説明する図である。
【図５】第１の実施の形態のシート収容体の収容空間に収容するウェットシートの概略図である。
【図６】図５のＶＩ線矢視図である。
【図７】図５のＶＩＩ線矢視図である。
【図８】第２の実施の形態のシート収容体の収容空間に収容するウェットシートを形成する方法を説明する図である。
【図９】第２の実施の形態のシート収容体の収容空間に収容するウェットシートを形成する方法を説明する図である。
【図１０】第２の実施の形態のシート収容体の収容空間に収容するウェットシートを形成する方法を説明する図である。
【図１１】第２の実施の形態のシート収容体の収容空間に収容するウェットシートの概略図である。
【図１２】図１１のＸＩＩ線矢視図である。
【図１３】図１１のＸＩＩＩ線矢視図である。
【図１４】第３の実施の形態のシート収容体の収容空間に収容するウェットシートを形成する方法を説明する図である。
【図１５】第３の実施の形態のシート収容体の収容空間に収容するウェットシートを形成する方法を説明する図である。
【図１６】第３の実施の形態のシート収容体の収容空間に収容するウェットシートの上面図である。
【図１７】第４の実施の形態のシート収容体の収容空間に収容するウェットシートを形成する方法を説明する図である。
【図１８】第４の実施の形態のシート収容体の収容空間に収容するウェットシートを形成する方法を説明する図である。
【図１９】第４の実施の形態のシート収容体の収容空間に収容するウェットシートの上面図である。
【発明を実施するための形態】
【００１６】
以下に、本発明の実施の形態を、図面を参照して説明する。なお、以下の実施の形態は、密閉されている（開口部を有していない）収容空間内に１つのウェットシートを収容する、個包装のシート収容体について説明する。
先ず、第１の実施の形態のシート収容体１０を、図１〜図７を参照して説明する。なお、図１は、第１の実施の形態のシート収容体１０の正面図である。図２〜４は、第１の実施の形態のシート収容体１０の収容空間内に収容するウェットシート２０を形成する方法を説明する図である。図５は、ウェットシート２０の概略図であり、図６は、図５のＶＩ線矢視図であり、図７は、図５のＶＩＩ線矢視図である。
【００１７】
本実施の形態のシート収容体１０は、収容空間１２を有しているとともに、収容空間内にウェットシート２０が収容されている。
収容空間１２は、重ねたフィルムを、収容空間１２を形成する部分の外周に沿って接合することによって密閉状態に形成されている。本実施の形態では、収容空間を形成するフィルムとして、加熱することによって融着可能なフイルム（「熱癒着フィルム」という）が用いられている。また、本実施の形態では、ウェットシート２０を形成するシート３０に液体が含浸されている（湿潤状態にある）ため、熱融着フィルムとして、ウェットシート２０を形成するシート３０の湿潤状態を保持可能（乾燥を防止可能）なフィルムを用いられている。例えば、ポリエチレンテレフタレート（ＰＥＴ）樹脂により形成される保護層、アルミニウムにより形成される湿潤保持層（乾燥防止層）、二軸延伸ポリプロピレン樹脂により形成される熱融着層（ヒートシール層）が積層された積層フィルム（ラミネートフィルム）が用いられる。
このような熱融着フィルムを用いて収容空間１２を形成するには、収容空間１２の外周のシール部１１において、熱融着層（二軸延伸ポリプロプレン樹脂層）が対向するように、熱融着フィルムを重ねる。本実施の形態では、１枚の熱融着フィルムを、熱融着層が対向するように折り返すことによって、熱融着フィルムを重ねている。そして、重ねた熱融着フィルムを、収容空間１２を形成する部分の外周に沿って熱融着（シール）する。本実施の形態では、熱融着フィルの折り返し部を除く、収容空間１２を形成する部分の外周に沿って熱融着する。
また、重ねた熱融着フィルムには、ウェットシート２０の摘み部２０Ｘ（詳しくは後述する）が配置されている箇所の近傍に切り込み１３が形成される。切り込み１３は、密閉状態の収容空間１２を容易に開口することができるようにするためのものである（詳しくは後述する）。
本実施の形態のシート収容体１０は、［７５ｍｍ（図１の上下方向の長さ）×６２ｍｍ（図１の左右方向の長さ）］の長方形に形成されている。また、シール部１１は、５ｍｍの幅に形成されている。
収容空間１２が本発明の「収容空間」に対応し、切り込み１３が本発明の「切り込み」に対応する。
【００１８】
なお、熱融着フィルムを重ねる方法としては、別々の熱融着フィルムを重ねる方法を用いることもできる。この場合には、重ねた熱融着フィルを、収容空間１２を形成する部分の外周全体に沿って熱融着する。
また、熱融着フィルムの保護層は省略することができる。また、熱融着フィルムの湿潤保持層（乾燥防止層）は、ウェットシート２０を形成するシート３０の湿潤状態を維持することができればよく、アルミニウム層に限定されない。また、熱融着フィルムの熱融着層は、加熱されることによって融着されればよく、二軸延伸ポリプロピレン樹脂層に限定されない。
【００１９】
次に、本実施の形態のシート収容体１０の収容空間１２内に収容されるウェットシート２０を説明する。
ウェットシート２０は、１枚のシート３０を折り返し線に沿って折り返す操作を複数回行うことによって形成されている。すなわち、各折り返し線の両側のシート部分が重ねられて形成されている。また、シート３０として、繊維材料をシート状に形成した基材（例えば、不織布、ガーゼ、コットンシート、ティッシュペーパー）に液体（例えば、アルコール、消毒液、化粧水）等が含浸されたシートが用いられている。本実施の形態では、シート３０は、坪量が５５ｇ／ｍ２である基材を用いている。また、シート３０は、基材重量の２５０％の液体含浸量を有している。
なお、ウェットシート２０は、シート３０を複数回折り返すことによって、シート３０を構成する複数の部分シートが重ねられているため、「シート重ね体」ということもできる。
ウェットシート２０を形成するシート３０が、本発明の「シート」に対応する。
【００２０】
ウェットシート２０を形成する方法の一例を以下に説明する。
本実施の形態で用いられているシート３０は、図２に示されているように長方形を有している。すなわち、シート３０は、第１の方向（図２では上下方向）に延びている、長さＷ１を有する一対の短辺３１および３３と、第１の方向と直交（略直交を含む）する第２の方向（図２の左右方向）に延びている、長さＬ１を有する一対の長辺３２および３４からなる長方形を有している。本実施の形態では、シート３０は、［短辺の長さＷ１（＝１００ｍｍ）×長辺の長さＬ１（＝１９０ｍｍ）］の長方形に形成されている。なお、ＭＤ方向（繊維長方向）にシート３０の短辺３１および３３を設定し、ＣＤ方向（繊維長と直交する方向）にシート３０の長辺３２および３４を設定するのが好ましい。
シート３０の短辺３１および３３が延びている方向（図２のｙ方向）が本発明の「第１の方向」に対応し、シート３０の長辺３２および３４が延びている方向（図２のｘ方向）が本発明の「第２の方向」に対応する。なお、図２の紙面前後方向が本発明の「シートを構成する複数のシート部材が重ねられる方向（第３の方向）」に対応する。
【００２１】
先ず、長辺３２および３４の中央（シート３０の、第２の方向の中央）で、第１の方向に平行な折り返し線３０ａに沿って、図２に示されている矢印の方向に折り返す（第１回目の折り返し）。これにより、折り返し線３０ａの両側のシート部分３０Ａと３０Ｂが折り返し線３０ａに沿って折り返されて重ねられ、２つ折り状態となる。シート３０を２つ折り状態にする折り返し線３０ａが、本発明の「２つ折り用折り返し線」に対応する。折り返し線３０ａは、厳密に長辺３２および３４の中央でなくてもよい。
折り返し線３０ａに沿った折り返しによって、図３に示されているように、折り返し線３０ａの両側のシート部分３０Ａ［Ｗ１×片３２ａ（３４ａ）の長さＬ２］と３０Ｂ［Ｗ１×片３２ｂ（３４ｂ）の長さＬ２］が重ねられる。本実施の形態では、Ｌ２が９５ｍｍに設定されている。
【００２２】
次に、シート部分３０Ａおよび３０Ｂを、第１の方向に平行な折り返し線３０ｂに沿って図３に示されている矢印の方向に折り返す（第２回目の折り返し）とともに、第１の方向に平行な折り返し線３０ｃに沿って図３に示されている矢印の方向に折り返す（第３回目の折り返し）。
折り返し線３０ｂに沿った折り返しによって、図４に示されているように、折り返し線３０ｂの両側のシート部分［（３０Ａ２＋３０Ａ３）と（３０Ｂ２＋３０Ｂ３）の２相］とシート部分［３０Ａ１と３０Ｂ１の２相］が重ねられる。すなわち、折り返し線３０ｂに沿って折り返すことによって、シート部分（３０Ｂ２＋３０Ｂ３）、（３０Ａ２＋３０Ａ３）、３０Ａ１および３０Ｂ１が重ねられた４つ折り状態となる。
また、折り返し線３０ｂに沿った折り返しによって、図４に示されているように、折り返し線３０ｃの両側のシート部分［３０Ａ３と３０Ｂ３の２相］とシート部分［３０Ａ２と３０Ｂ２の２相］が重ねられる。ここで、シート部分［３０Ａ２と３０Ｂ２の２相］は、折り返し線３０ｂに沿った折り返しによって、シート部分［３０Ａ１と３０Ｂ１の２相］に重ねられている。このため、折り返し線３０ｃに沿った折り返しによって、シート部分３０Ａ３、３０Ｂ３、３０Ｂ２、３０Ａ２、３０Ａ１および３０Ｂ１が重ねられた６つ折り状態となる。図４では、シート部分［３０Ａ１（Ｗ１×片３２ａ１（３４ａ１）の長さＬ３）＋３０Ｂ１（Ｗ１×片３２ｂ1（３４ｂ１）の長さＬ３）］と、シート部分［３０Ａ２（Ｗ１×片３２ａ２（３４ａ２）の長さＬ４＋３０Ｂ２（Ｗ１×片３２ｂ２（３４ｂ２）の長さＬ４］と、シート部分［３０Ａ３（Ｗ１×片３２ａ３（３４ａ３）の長さＬ３＋３０Ｂ３（Ｗ１×片３２ｂ３（３４ｂ３）の長さＬ３）］が重ねられている。
本実施の形態では、折り返し線３０ａ（２つ折り用折り返し線）に平行（第１の方向に平行）な折り返し線３０ｂと３０ｃの位置（折り返し線３０ａと３０ｂの間隔Ｌ３、折り返し線３０ｂと３０ｃの間隔Ｌ４、折り返し線３０ｃと短辺３１（３３）の間隔Ｌ４）は、折り返し線３０ａより折り返し線３０ｂ（３０ｃ）側の、設定間隔Ｌ５の領域（図６参照）において、折り返し線３０ａ（２つ折り用折り返し線）の両側のシート部分３０Ａと３０Ｂのみが重なるように設定される。
本実施の形態では、［Ｌ２＝Ｌ３＋２×Ｌ４］、［Ｌ４＝Ｌ３−Ｌ５］（Ｌ３＞Ｌ４）を満足するように、Ｌ３が３５ｍｍ、Ｌ４が３０ｍｍ、Ｌ５が５ｍｍに設定されている。
【００２３】
次に、折り返し線３０ａの方向（第１の方向）と直交する第２の方向に平行な折り返し線３０ｄに沿って図４に示されている矢印の方向に折り返す（第４回目の折り返し）。折り返し線３０ｄに沿った折り返しによって、図５に示されているように、折り返し線３０ｄの両側のシート部分［３０Ａ３ａ、３０Ｂ３ａ、３０Ｂ２ａ、３０Ａ２ａ、３０Ａ１ａ、３０Ｂ１ａの６相］とシート部分［３０Ａ３ｂ、３０Ｂ３ｂ、３０Ｂ２ｂ、３０Ａ２ｂ、３０Ａ１ｂ、３０Ｂ１ｂの６相］が重ねられる。すなわち、折り返し線３０ｄに沿った折り返しによって、シート部分３０Ａ３ａ、３０Ｂ３ａ、３０Ｂ２ａ、３０Ａ２ａ、３０Ａ１ａ、３０Ｂ１ａ、３０Ａ３ｂ、３０Ｂ３ｂ、３０Ｂ２ｂ、３０Ａ２ｂ、３０Ａ１ｂおよび３０Ｂ１ｂが重ねられた１２折り状態となる。図５では、シート部分３０Ａ１ａ（Ｗ２×片３２ａ１の長さＬ３）、３０Ａ２ａ（Ｗ２×片３２ａ２の長さＬ４）、３０Ａ３ａ（Ｗ２×片３２ａ３の長さＬ４）、３０Ｂ１ａ（Ｗ２×片３２ｂ１の長さＬ３）、３０Ｂ２ａ（Ｗ２×片３２ｂ２の長さＬ４）、３０Ｂ３ａ（Ｗ２×片３２ｂ３の長さＬ４）、３０Ａ１ｂ（Ｗ３×片３４ａ１の長さＬ３）、３０Ａ２ｂ（Ｗ３×片３４ａ２の長さＬ４）、３０Ａ３ｂ（Ｗ３×片３４ａ３の長さＬ４）、３０Ｂ１ｂ（Ｗ３×片３４ｂ１の長さＬ３）、３０Ｂ２ｂ（Ｗ３×片３４ｂ２の長さＬ４）および３０Ｂ３ｂ（Ｗ３×片３４ｂ３の長さＬ４）が重ねられている。
本実施の形態では、折り返し線３０ａ（２つ折り用折り返し線）と直交する折り返し線３０ｄの位置（折り返し線３０ｄと片３２の間隔Ｗ２、折り返し線３０ｄと片３４の間隔Ｗ３）は、折り返し線３０ａの両端部３０ｘ、３０ｙに接続されている、第２の方向に延びている片３２、３４のうちの少なくとも一方の片から折り返し線３０ｄ側の、設定間隔Ｗ４の領域において、折り返し線３０ａ（２つ折り用折り返し線）の両側のシート部分３０Ａと３０Ｂのみが重なるように設定される。
本実施の形態では、［Ｗ１＝Ｗ２＋Ｗ３］、［Ｗ２＝Ｗ３−Ｗ４］（Ｗ３＞Ｗ２）を満足するように、Ｗ２が４５ｍｍ、Ｗ３が５５ｍｍ、Ｗ４が１０ｍｍに設定されている。
折り返し線３０ａの一方の端部３０ｙを含む、（Ｌ５×Ｗ４）の四角形の領域２０Ｘは、使用者が指で摘む摘み部として用いられる。なお、大部分の使用者が、摘み部２０Ｘを指で容易に摘むことができるようにするためには、折り返し線３０ａの一方の端部３０ｙから５ｍｍ以内の領域を含むように領域２０Ｘを設定するのが好ましい。本実施の形態では、Ｌ５およびＷ４を５ｍｍ以上に設定するのが好ましい。
【００２４】
第１の実施の形態のシート収容体１０では、シートを使用する際には以下の操作を行う。
先ず、収容空間１２を形成しているフィルムを、切り込み１３を利用して切断し、収容空間１２を開口する。
次に、収容空間１２内に収容されているウェットシート２０の摘み部２０Ｘを指で摘み、収容空間１２から引き出す。ここで、本実施の形態では、切り込み１３が、収容空間１２内に収容されているウェットシート２０の摘み部２０Ｘが配置されている箇所の近傍に形成されている。このため、収容空間１２を形成しているフィルムを少し切断するだけで、ウェットシート２０の摘み部２０Ｘを指で摘んで、収容空間１２から取り出すことができる。したがって、ウェットシート２０を収容空間１２から取り出す操作が容易である。
次に、ウェットシート２０を収容空間１２から引き出した後、摘み部２０Ｘを摘んでいる指を振る。ここで、摘み部２０Ｘは、２つ折り用折り返し線３０ａの一方の端部３０ｙを含んでおり、また、摘み部２０Ｘの領域では、シート３０を２つ折りするための２つ折り用折り返し線３０ａの両側のシート部分３０Ａと３０Ｂのみが重ねられている。このため、摘み部２０Ｘを摘んでいる指を振ると、折り返し線３０ａ（２つ折り用折り返し線）以外の折り返し線３０ｂ、３０ｃ、３０ｄに沿った折り返し状態が解除され、２つ折り状態となる。例えば、先ず、図４に示す状態となり、その後、図３に示されている２つ折り状態となる。このように、摘み部２０Ｘを指で摘んだ状態でウェットシート２０を振ることによってウェットシート２０を２つ折り状態にすることができるため、両手を使用する必要がない。特に、収容空間１２内にウェットシート２０が収容されている場合には、摘み部２０Ｘを摘む指以外が濡れないため、より利便性が高い。
そして、２つ折り状態となったウェットシート２０を使用する。
【００２５】
なお、第１の実施の形態のウェットシート２０を形成する方法は、前述した方法に限定されない。
例えば、折り返し線３０ａに沿って折り返す方法は、図２に示されている矢印と異なる方向、例えば、シート部分３０Ａと３０Ｂの異なる面が接触する方向であってもよい。
折り返し線３０ｂおよび３０ｃに沿って折り返す方法は、図３に示されている方向と異なる方向、例えば、シート部分３０Ａと３０Ｂが接触する方向であってもよい。第１の方向に平行な折り返し線３０ｂおよび３０ｃの位置、すなわち、折り返し線３０ａと３０ｂの間隔Ｌ３、折り返し線３０ｂと３０ｃの間隔Ｌ４、折り返し線３０ｃと片３１の間隔Ｌ４は適宜変更可能である。
折り返し線３０ｄに沿って折り返す方法は、図４に示されている矢印の方向と異なる方向、例えば、シート部分３０Ａ３ａと３０Ａ３ｂが接触する方向であってもよい、第２の方向に平行な折り返し線３０ｄの位置、すなわち、長辺３２と折り返し線３０ｄの間隔Ｗ２、折り返し線３０ｄと片３４の間隔Ｗ３は、適宜変更可能である。
折り返す順番は、適宜変更可能である。
シート部分３０Ａ２および３０Ｂ２とシート部分３０Ａ３および３０Ｂ３の幅（第２の方向に沿った長さＬ２４）を等しく設定したが、異なる長さに設定してもよい。
【００２６】
第２の実施の形態のシート収容体を、図８〜図１３を参照して説明する。なお、第２の実施の形態のシート収容体の概略構成は、第１の実施の形態のシート収容体１０と同様であるため、説明を省略する。図８〜１０は、第２の実施の形態のシート収容体の収容空間に収容するウェットシート４０を形成する方法を説明する図である。図１１は、ウェットシート４０の概略図であり、図１２は、図１１のＸＩＩ線矢視図であり、図１３は、図１１のＸＩＩＩ線矢視図である。
ウェットシート４０は、第１の実施の形態のウェットシート２０と同様に、１枚のシート５０を複数回折り返すことによって形成される。シート５０としては、シート３０と同様のシートを用いることができる。
【００２７】
次に、ウェットシート４０を形成する方法を説明する。
シート５０は、図８に示されているように、第１の方向（図８では上下方向）に延びている、長さＷ１１を有する一対の短辺５１および５３と、第１の方向と直交（略直交を含む）する方向（図８の左右方向）に延びている、長さＬ１１を有する一対の長辺５２および５４からなる長方形を有している。
【００２８】
先ず、長辺５２および５４の中央で、第１の方向に平行な折り返し線５０ａに沿って、図８に示されている矢印の方向に折り返す（第１回目の折り返し）。これにより、シート５０は、折り返し線５０ａの両側のシート部分５０Ａと５０Ｂが重ねられた２つ折り状態となる。折り返し線５０ａが、本発明の「２つ折り用折り返し線」に対応する。折り返し線５０ａに沿った折り返しによって、図９に示されているように、折り返し線５０ａの両側のシート部分５０Ａ［Ｗ１１×片４２ａ（４４ａ）の長さＬ１２］と５０Ｂ［Ｗ１１×片５２ｂ（５４ｂ）の長さＬ１２］が重ねられる。
【００２９】
次に、シート部分５０Ａおよび５０Ｂを、第１の方向に平行な折り返し線５０ｂに沿って図９に示されている矢印の方向に折り返す（第２回目の折り返し）。折り返し線５０ｂに沿った折り返しによって、図１０に示されているように、折り返し線５０ｂの両側のシート部分［５０Ａ１（Ｗ１１×片５２ａ１（５４ａ１）の長さＬ１３）と５０Ｂ１（Ｗ１１×片５２ｂ１（５４ｂ１）の長さＬ１３）の２相］とシート部分［５０Ａ２（Ｗ１１×片５２ａ２（５４ａ２）の長さＬ１４）と５０Ｂ２（Ｗ１１×片５２ｂ２（５４ｂ２）の長さＬ１４）の２相］が重ねられ、４つ折り状態となる。
本実施の形態では、２つ折り用折り返し線５０ａに平行（第１の方向に平行）な折り返し線５０ｂの位置（折り返し線５０ａと５０ｂの間隔Ｌ１３、折り返し線５０ｂと短辺５１および５３の間隔Ｌ１４）は、２つ折り用折り返し線５０ａより折り返し線５０ｂ側の、設定間隔Ｌ１５の領域（図１１参照）において、２つ折り用折り返し線５０ａの両側のシート部分５０Ａと５０Ｂのみが重なるように設定される。本実施の形態では、［Ｌ１２＝Ｌ１３＋Ｌ１４］、［Ｌ１４＝Ｌ１３−Ｌ１５］（Ｌ１３＞Ｌ１４）を満足するように設定されている。
【００３０】
次に、２つ折り用折り返し線５０ａに直交する第２の方向に平行な折り返し線５０ｃに沿って、図１０に示されている矢印の方向に折り返す（第３回目の折り返し）。折り返し線５０ｃに沿った折り返しによって、図１１に示されているように、折り返し線５０ｃの両側のシート部分［５０Ｂ２ａ（Ｗ１２×片５２ｂ２の長さＬ１４）、５０Ａ２ａ（Ｗ１２×片５２ａ２の長さＬ１４）、５０Ａ１ａ（Ｗ１２×片５２ａ１の長さＬ１３）、５０Ｂ１ａ（Ｗ１２×片５２ｂ１の長さＬ１３）の４相］とシート部分［５０Ｂ２ｂ（Ｗ１３×片５４ｂ２の長さＬ１４）、５０Ａ２ｂ（Ｗ１３×片５４ａ２の長さＬ１４）、５０Ａ１ｂ（Ｗ１３×片５４ａ１の長さＬ１３）、５０Ｂ１ｂ（Ｗ１３×片５４ｂ１の長さＬ１３）、の４相］が重ねられ、８つ折り状態となる。
本実施の形態では、２つ折り用折り返し線５０ａに直交する第２の方向に平行な折り返し線５０ｃの位置（折り返し線５０ｃと長辺５２の間隔Ｗ１２、折り返し線５０ｃと長辺５４の間隔Ｗ１３）は、折り返し線５０ａの両端部に接合されている片５２、５４のうちの少なくとも一方の片から折り返し線５０ｃ側の、設定間隔Ｗ１４の領域において、２つ折り用折り返し線５０ａの両側のシート部分５０Ａと５０Ｂのみが重なるように設定される。本実施の形態では、［Ｗ１１＝Ｗ１２＋Ｗ１３］、［Ｗ１３＝Ｗ１２−Ｗ１４］（Ｗ１２＞Ｗ１３）を満足するように設定されている。
折り返し線５０ａの一方の端部５０ｘを含む、（Ｌ１５×Ｗ１４）の四角形の領域４０Ｘは、使用者が指で摘む摘み部として用いられる。なお、大部分の使用者が、摘み部４０Ｘを指で容易に摘むことができるようにするためには、折り返し線５０ａの一方の端部５０ｘから５ｍｍ以内の領域を含むように領域４０Ｘを設定するのが好ましい。本実施の形態では、Ｌ１５およびＷ１４を５ｍｍ以上に設定するのが好ましい。
【００３１】
なお、第２の実施の形態のウェットシート４０を形成する方法は、前述した方法に限定されない。
例えば、折り返し線５０ａに沿って折り返す方法は、図８に示されている矢印と異なる方向、例えば、シート部分４０Ａと４０Ｂの異なる面が接触する方向であってもよい。
折り返し線５０ｂに沿って折り返す方法は、図１０に示されている矢印と異なる方向、例えば、シート部分５０Ｂ１と５０Ｂ２が接触する方向であってもよい。第１の方向に平行な折り返し線５０ｂの位置、すなわち、折り返し線５０ａと５０ｂの間隔Ｌ１３、折り返し線５０ｂと片５１の間隔Ｌ１４は適宜変更可能である。
折り返し線５０ｃに沿って折り返す方法は、図１０に示されている矢印の方向と異なる方向、例えば、シート部分４０Ｂ２ａと４０Ｂ２ｂが接触する方向であってもよい。第２の方向に平行な折り返し線５０ｃの位置、すなわち、片５２と折り返し線５０ｃの間隔Ｗ１２、折り返し線５０ｃと片５４の間隔Ｗ１３は、適宜変更可能である。
折り返す順番は、適宜変更可能である。
【００３２】
第１および第２の実施の形態では、２つ折り後の折り返し操作を、２つ折り用折り返し線の両側のシート部分が重ねられた状態で行っている。２つ折り後の折り返し操作の少なくとも一部は、２つ折り返し用折り返し線の両側のシート部分それぞれで行うこともできる。
第３の実施の形態のシート収容体の収容空間に収容するウェットシート６０を、図１４〜図１６を参照して説明する。なお、図１４および１５は、ウェットシート６０を形成する方法を説明する図であり、図１６は、ウェットシート６０の上面図である。
ウェットシート６０は、第１の実施の形態のウェットシート２０と同様に、１枚のシート７０を複数回折り返すことによって形成されている。シート７０としては、シート３０と同様のシートを用いることができる。なお、図１４〜１６には、全ての符号が図示されていない。
【００３３】
シート７０は、第１の方向に延びている、長さＷ２１を有する一対の短辺７１および７３と、第１の方向と直交（略直交を含む）する第２の方向に延びている、長さＬ２１を有する一対の長辺７２および７４からなる長方形を有している。
【００３４】
先ず、長辺７２および７４の中央で、第１の方向に平行な折り返し線７０ａに沿って、折り返す（第１回目の折り返し）。これにより、シート７０は、折り返し線７０ａの両側のシート部分７０Ａと７０Ｂが重ねられた２つ折り状態となる。折り返し線７０ａが、本発明の「２つ折り用折り返し線」に対応する。折り返し線７０ａに沿った折り返しによって、図１４に示されているように、折り返し線７０ａの両側のシート部分［７０Ａ（Ｗ２１×片７２ａ（７４ａ）の長さＬ２２）］とシート部分［７０Ｂ（Ｗ２１×片７２ｂ（７４ｂ）の長さＬ２２）］が重ねられる。
【００３５】
次に、シート部分７０Ａを、第１の方向（２つ折り用折り返し線７０ａの方向）に平行な折り返し線７０ｂに沿って図１４に示されている矢印の方向に折り返す（第２回目の折り返し）とともに、第１の方向に平行な折り返し線７０ｃに沿って図１４に示されている矢印の方向に折り返す（第３回目の折り返し）。
折り返し線７０ｂに沿った折り返しによって、図１５に示されているように、折り返し線７０ｂの両側のシート部分［７０Ａ２＋７０Ａ３］とシート部分７０Ａ１が重ねられる。折り返し線７０ｂに沿った折り返しによって、シート部分７０Ａは、２つ折り状態となる。
また、折り返し線７０ｂに沿った折り返しによって、図１５に示されているように、折り返し線７０ｃの両側のシート部分７０Ａ３とシート部分７０Ａ２が重ねられる。ここで、折り返し線７０ａに沿った折り返しによって、シート部分７０Ａ２と７０Ａ１が重ねられている。このため、折り返し線７０ｃに沿った折り返しによって、シート部分７０Ａは、シート部分７０Ａ１、シート部分７０Ａ２およびシート部分７０Ａ３が重ねられた３つ折り状態となる。
【００３６】
次に、シート部分７０Ｂを、第１の方向（２つ折り用折り返し線７０ａの方向）に平行な折り返し線７０ｄに沿って図１４に示されている矢印の方向に折り返す（第４回目の折り返し）とともに、第１の方向に平行な折り返し線７０ｅに沿って図１４に示されている矢印の方向に折り返す（第５回目の折り返し）。
折り返し線７０ｄに沿った折り返しによって、図１５に示されているように、折り返し線７０ｄの両側のシート部分［７０Ｂ２＋７０Ｂ３］とシート部分７０Ｂ１が重ねられる。ここで、折り返し線７０ｄに沿った折り返しによって、シート部分７０Ｂ２と７０Ｂ１が重ねられている。このため、折り返し線７０ｅに沿った折り返しによって、シート部分７０Ｂは、シート部分７０Ｂ１、シート部分７０Ｂ２およびシート部分７０Ｂ３が重ねられた３つ折り状態となる。
【００３７】
以上の折り返し線７０ｂ、７０ｃ、７０ｄおよび７０ｅに沿った折り返しによって、シート７０は、３０Ａ３（Ｗ２１×Ｌ２４）、３０Ａ２（Ｗ２１×Ｌ２４）、シート部分３０Ａ１（Ｗ２１×Ｌ２３）、シート部分３０Ｂ１（Ｗ２１×Ｌ２３）、シート部分３０Ｂ２（Ｗ２１×Ｌ２３）およびシート部分３０Ｂ３（Ｗ２１×Ｌ２４）が重ねられた６つ折り状態となる。
本実施の形態では、２つ折り用折り返し線７０ａに平行な折り返し線７０ｂおよび７０ｃの位置（折り返し線７０ａと７０ｂの間隔Ｌ２３、折り返し線７０ｂと７０ｃの間隔Ｌ２４、折り返し線７０ｃと短辺７１の間隔Ｌ２４）は、２つ折り用折り返し線７０ａより折り返し線７０ｂ（７０ｃ）側の、設定間隔Ｌ２５の領域（図１５参照）において、２つ折り用折り返し線７０ａの両側のシート部分７０Ａと７０Ｂのみが重なるように設定される。２つ折り用折り返し線７０ａに平行な折り返し線７０ｄおよび７０ｅの位置も同様に設定される。
本実施の形態では、［Ｌ２２＝Ｌ２３＋２×Ｌ２４］、［Ｌ２４＝Ｌ２３−Ｌ２５］（Ｌ２３＞Ｌ２４）を満足するように設定されている。
【００３８】
次に、２つ折り用折り返し線７０ａと直交する第２の方向に平行な折り返し線７０ｆに沿って、図１５に示されている矢印の方向に折り返す（第６回目の折り返し）。折り返し線７０ｆに沿った折り返しによって、図１６に示されているように、折り返し線７０ｆの両側のシート部分［７０Ａ３ａ（Ｗ２２×Ｌ２４）、７０Ａ２ａ（Ｗ２２×Ｌ２４）、７０Ａ１ａ（Ｗ２２×Ｌ２３）、７０Ｂ１ａ（Ｗ２２×Ｌ２３）、７０Ｂ２ａ（Ｗ２２×Ｌ２４）、７０Ｂ３ａ（Ｗ２２×Ｌ２４）の６相］とシート部分［７０Ａ３ｂ（Ｗ２３×Ｌ２４）、７０Ａ２ｂ（Ｗ２３×Ｌ２４）、７０Ａ１ｂ（Ｗ２３×Ｌ２３）、７０Ｂ１ｂ（Ｗ２３×Ｌ２４）、７０Ｂ２ｂ（Ｗ２３×Ｌ２４）、７０Ｂ３ｂ（Ｗ２３×Ｌ２４）の６相］に重ねられる。すなわち、折り返し線７０ｆに沿って折り返しによって、１２折り状態となる。
本実施の形態では、２つ折り用折り返し線７０ａと直交する第２の方向に平行な折り返し線７０ｆの位置（折り返し線７０ｆと長辺７２の間隔Ｗ２２、折り返し線７０ｆと長辺７４の間隔Ｗ２３）は、２つ折り用折り返し線７０ｆの両端部７０ｘ、７０ｙに接続されている長辺７２、７４のうちの少なくとも一方の長辺から２つ折り用折り返し線７０ｆ側の、設定間隔Ｗ２４の領域において、２つ折り用折り返し線７０ａの両側のシート部分７０Ａと７０Ｂのみが重なるように設定される。
本実施の形態では、［Ｗ２１＝Ｗ２２＋Ｗ２３］、［Ｗ２２＝Ｗ２３−Ｗ２４］（Ｗ２３＞Ｗ２２）を満足するように設定されている。
折り返し線７０ａの一方の端部７０ｙを含む、（Ｌ２５×Ｗ２４）の四角形の領域６０Ｘは、使用者が指で摘む摘み部として用いられる。
シートを使用する際の操作は第１の実施の形態と同様である。
なお、２つ折り用折り返し線と平行な折り返し線７０ｂ、７０ｃ、７０ｄおよび７０ｅの位置や、２つ折り用折り返し線７０ａと直交する方向に平行な折り返し線７０ｆの位置は、適宜変更可能である。また、折り返す順番は、適宜変更可能である。
【００３９】
第４の実施の形態のシート収容体の収容空間に収容するウェットシートシート８０を、図１７〜図１９を参照して説明する。なお、図１７および１８は、ウェットシートシート８０を形成する方法を説明する図であり、図１９は、ウェットシートシート８０の上面図である。
ウェットシートシート８０は、第１の実施の形態のウェットシートシート２０と同様に、１枚のシート９０を複数回折り返すことによって形成されている。シート９０としては、シート３０と同様のシートを用いることができる。なお、図１７〜１９には、全ての符号が図示されていない。
【００４０】
シート９０は、第１の方向に延びている、長さＷ３１を有する一対の短辺９１および９３と、第１の方向と直交（略直交を含む）する第２の方向に延びている、長さＬ３１を有する一対の長辺９２および９４からなる長方形を有している。
【００４１】
先ず、長辺９２および９４の中央で、第１の方向に平行な折り返し線９０ａに沿って、折り返す（第１回目の折り返し）。これにより、シート９０は、折り返し線９０ａの両側のシート部分９０Ａ（Ｗ３１×片９２ａ（９４ａ）の長さＬ３２）とシート部分９０Ｂ（Ｗ３１×片９２ｂ（９４ｂ）の長さＬ３２）が重ねられた２つ折り状態となる。折り返し線９０ａが、本発明の「２つ折り用折り返し線」に対応する。
【００４２】
次に、シート部分９０Ａを、２つ折り用折り返し線９０ａの方向（第１の方向）に平行な折り返し線９０ｂに沿って、図１７に示されている矢印の方向に折り返す（第２回目の折り返し）。折り返し線９０ｂに沿った折り返しによって、図１８に示されているように、折り返し線９０ｂの両側のシート部分９０Ａ２とシート部分９０Ａ１が重ねられる。折り返し線９０ｂに沿った折り返しによって、シート部分９０Ａは、２つ折り状態となる。
次に、シート部分９０Ｂを、２つ折り用折り返し線９０ａの方向（第１の方向）に平行な折り返し線９０ｃに沿って、図１７に示されている矢印の方向に折り返す（第３回目の折り返し）。折り返し線９０ｃに沿った折り返しによって、図１８に示されているように、折り返し線９０ｃの両側シート部分９０Ｂ２とシート部分９０Ｂ１が重ねられる。折り返し線９０ｃに沿った折り返しによって、シート部分９０Ｂは、２つ折り状態となる。
【００４３】
以上の折り返し線９０ｂおよび９０ｃに沿った折り返しによって、シート９０は、シート部分９０Ａ２（Ｗ３１×Ｌ３４）、シート部分９０Ａ１（Ｗ３１×Ｌ３３）、シート部分９０Ｂ１（Ｗ３１×Ｌ３３）およびシート部分９０Ｂ２（Ｗ３１×Ｌ３４）が重ねられた４つ折り状態となる。
本実施の形態では、２つ折り用折り返し線９０ａに平行な折り返し線９０ｂの位置（折り返し線９０ａと９０ｂの間隔Ｌ３３、折り返し線９０ｂと短辺９１の間隔Ｌ２４）および折り返し線９０ｃの位置（折り返し線９０ａと９０ｂの間隔Ｌ３３、折り返し線９０ｃと短辺９３の間隔Ｌ２４）は、２つ折り用折り返し線９０ａより折り返し線９０ｂ（９０ｃ）側の、設定間隔Ｌ３５の領域（図１８参照）において、２つ折り用折り返し線９０ａの両側のシート部分９０Ａと９０Ｂのみが重なるように設定される。
本実施の形態では、［Ｌ３２＝Ｌ３３＋Ｌ３４］、［Ｌ３４＝Ｌ３３−Ｌ３５］（Ｌ３２＞Ｌ３３）を満足するように設定されている。
【００４４】
次に、２つ折り用折り返し線９０ａに直交する第２の方向に平行な折り返し線９０ｄに沿って、図１８に示されている矢印の方向に折り返す（第４回目の折り返し）。折り返し線９０ｄに沿った折り返しによって、図１９に示されているように、折り返し線９０ｄの両側のシート部分［９０Ａ２ａ（Ｗ３２×Ｌ３４）、９０Ａ１ａ（Ｗ３２×Ｌ３３）、９０Ｂ１ａ（Ｗ３２×Ｌ３３）、９０Ｂ２ａ（Ｗ３２×Ｌ３４）の４相］とシート部分［９０Ａ２ｂ（Ｗ３３×Ｌ３４）、９０Ａ１ｂ（Ｗ３３×Ｌ３３）、９０Ｂ１ｂ（Ｗ３３×Ｌ３３）、９０Ｂ２ｂ（Ｗ３３×Ｌ３４）の４相］が重ねられる。
本実施の形態では、２つ折り用折り返し線９０ａの方向に直交する第２の方向に平行な折り返し線９０ｄの位置（折り返し線９０ｄと片９２の間隔Ｗ３２、折り返し線９０ｄと片９４の間隔Ｗ３３）は、２つ折り用折り返し線９０ａの両端部９０ｘ、９０ｙに接続されている長辺９２、９４のうちの少なくとも一方の長辺から２つ折り用折り返し線９０ｄ側の、設定間隔Ｗ３４の領域において、２つ折り用折り返し線９０ａの両側のシート部分９０Ａと９０Ｂのみが重なるように設定される。
本実施の形態では、［Ｗ３１＝Ｗ３２＋Ｗ３３］、［Ｗ３３＝Ｗ３２−Ｗ３４］（Ｗ３２＞Ｗ３３）を満足するように設定されている。
折り返し線９０ａの一方の端部９０ｘを含む、（Ｌ３５×Ｗ３４）の四角形の領域８０Ｘは、使用者が指で摘む摘み部として用いられる。
シートを使用する際の操作は第１の実施の形態と同様である。
なお、第１の方向に平行な折り返し線９０ｂおよび９０ｃの位置や、第２の方向に平行な折り返し線９０ｄの位置は、適宜変更可能である。
【００４５】
以上説明したように、本発明のシート収容体では、収容空間内に収容されているウェットシートの摘み部を指で摘んで収容空間から引き出し、摘み部を指で摘んだ状態でウェットシートを振ることにより、ウェットシートを２つ折りにすることができる。これにより、複数回折り返された状態で収容空間内に収容されているウェットシートを、容易に２つ折り状態にすることができ。利便性が向上する。
【００４６】
本発明は、実施の形態で説明した構成に限定されず、種々の変更、追加、削除が可能である。
例えば、液体が含浸されているシートを複数回折り返すことによってウェットシートを形成したが、液体が含浸されていないシートを複数回折り返した後、液体を含浸させることによってウェットシートを形成することもできる。
１枚のシートを複数回折り返してウェットシートを形成する方法としては、シートを２つ折りするための２つ折り用折り返し線の少なくとも一方の端部の周りの領域において、２つ折り用折り返し線の両側のシート部分のみが重ねられているウェットシートを形成することができる種々の方法を用いることができる。例えば、シートを、第１の方向に平行な２つ折り用折り返し線に沿って折り返し、また、第１の方向と交差する第２の方向に平行な他の折り返し線に沿って１回折り返すことによってウェットシートを形成する方法を用いることができる。
シート収容体、ウェットシート、ウェットシートを形成するシートの形状は、四角形に限定されない。
シート収容体の収容空間を形成する方法は、実施の形態で説明した方法に限定されない。例えば、熱融着フィルムのシール部を合わせて背中シール（センターシール）することによって筒状体を形成し、さらに、筒状体の両端部をエンドシールすることによって密閉状態の収容空間を形成する方法を用いることができる。なお、切り込みは、背中シール部やエンドシール部に形成してもよい。
シート収容体の収容空間内にウェットシートを収容する場合について説明したが、収容空間内には、１枚のシートを複数回折り返したシートを収容することができる。
【００４７】
なお、本発明は、
「シートは、第１の方向に沿って延びる、少なくとも１つの第１の折り返し線と、第１の方向に交差する第２の方向に沿って延びる、少なくとも１つの第２の折り返し線に沿って折り返されており、
少なくとも１つの第１の折り返し線には、シートを２つ折りするための２つ折り用折り返し線が含まれており、
第１の折り返し線のうち、２つ折り用折り返し線を除く他の第１の折り返し線は、２つ折り用折り返し線より、他の第１の折り返し線側の設定距離の範囲内では、２つ折り用折り返し線の両側のシート部分のみが重ねられるように設定され、
第２の折り返し線は、２つ折り用折り返し線の少なくとも一方の端部に接続されているシート片より、第２の折り返し線側の設定距離の範囲内では、２つ折り用折り返し線の両側のシート部分のみが重ねられるように設定されている」構成を備えるシート収容体として構成することもできる。
【符号の説明】
【００４８】
１０  シート収容体
１１  シール部
１２  収容空間
１３  切り込み
２０、４０、６０、８０  ウェットシート
２０ｘ、２０ｙ、４０ｘ、４０ｙ、６０ｘ、６０ｙ、８０ｘ、８０ｙ  端部
２０Ｘ、４０Ｘ、６０Ｘ、８０Ｘ  摘み部
３０、５０、７０、９０  シート
３０ａ、３０ｂ、３０ｃ、３０ｄ、５０ａ、５０ｂ、５０ｃ、７０ａ、７０ｂ、７０ｃ、７０ｄ、７０ｅ、７０ｆ、９０ａ、９０ｂ、９０ｃ、９０ｄ  折り返し線
３１、３３、５１、５３、７１、７３、９１、９３  短辺
３２、３４、５２、５４、７２、７４、９２、９４  長辺
【図１】
0005829404.tif 000002
【図２】
0005829404.tif 000003
【図３】
0005829404.tif 000004
【図４】
0005829404.tif 000005
【図５】
0005829404.tif 000006
【図６】
0005829404.tif 000007
【図７】
0005829404.tif 000008
【図８】
0005829404.tif 000009
【図９】
0005829404.tif 000010
【図１０】
0005829404.tif 000011
【図１１】
0005829404.tif 000012
【図１２】
0005829404.tif 000013
【図１３】
0005829404.tif 000014
【図１４】
0005829404.tif 000015
【図１５】
0005829404.tif 000016
【図１６】
0005829404.tif 000017
【図１７】
0005829404.tif 000018
【図１８】
0005829404.tif 000019
【図１９】
0005829404.tif 000020